(57)【要約】      （修正有）【課題】バスルーム等で体を洗う際に用いられ、特に背中を洗う際にねじれが起こりにくく、タオル生地からの力が集中して心地よい感触を与える洗体用具を提供する。【解決手段】円筒状又は複数の生地を重ねたタオル生地２の内部に複数のすり玉３を内包する。すり玉３は弾性を有する樹脂からなり、前記正面視及び背面視において、外周から中央に行くにしたがって正面方向及び背面方向へ厚みが増すように凸状に形成される。複数のすり玉３はタオル生地２内において、タオル生地２の長手方向に並べて配置される。すり玉３どうしの間に、タオル生地２が第一の紐状体４により縛られた中央縛り部６が設けられ、複数のすり玉３の列の両端近傍に、タオル生地２が第二の紐状体５により縛られた端部側縛り部７が設けられる。【選択図】図１
0003211715.tif 000002
【実用新案登録請求の範囲】
【請求項１】
弾性を有する樹脂からなり、洗体の際に体に対向する面を正面として、前記正面がその前記正面視における外周から前記正面の中央に行くにしたがって正面方向へ突出する凸状に形成されるとともに、前記正面と反対側の背面が、前記背面視における前記外周から前記背面の中央に行くにしたがって前記背面方向へ突出する凸状に形成される、複数のすり玉と、
円筒状又は複数の生地を重ねた状態で前記複数の前記すり玉を内包するタオル生地とを備え、
前記複数の前記すり玉は前記タオル生地内において、前記タオル生地の長手方向に並べて配置され、
前記すり玉どうしの間に、タオル生地が第一の紐状体により縛られた中央縛り部が設けられ、
並べられた前記複数の前記すり玉の列の両端近傍において、前記タオル生地が第二の紐状体により縛られた端部側縛り部が設けられることを特徴とする洗体用具。
【請求項２】
請求項１に記載の洗体用具において、
それぞれの前記すり玉に、前記洗体用具の長手方向にゴム紐を挿通するためのゴム紐挿通孔を設け、それぞれの前記すり玉に共通のゴム紐が挿通され数珠つなぎ状にそれぞれの前記すり玉を連結させ、前記洗体用具の長手方向において、その連結した前記複数の前記すり玉の列の両端近傍に前記ゴム紐を留めるための紐留め部が設けられることを特徴とする洗体用具。
【請求項３】
請求項１に記載の洗体用具において、
前記複数の前記すり玉を収納するための内袋が設けられ、前記内袋は、前記複数のすり玉どうしの間を縛る第三の紐状体によって縛られ、前記中央縛り部において、タオル生地及び前記内袋の前記第三の紐状体で縛られた部分が、前記第一の紐状体によって縛られることを特徴とする洗体用具。
【請求項４】
請求項１から請求項３までのいずれか1項に記載の洗体用具において、
前記すり玉は、独立気泡型の樹脂フォームからなることを特徴とする洗体用具。
【請求項５】
請求項１から請求項４までのいずれか1項に記載の洗体用具において、
前記すり玉はEVA樹脂フォームからなることを特徴とする。
【請求項６】
請求項１から請求項５までのいずれか1項に記載の洗体用具において、
前記タオル生地に内包される前記すり玉の数は2個であり、前記すり玉どうしの間の位置で前記タオル生地を折り曲げると、前記すり玉どうしが重ね合わせられることができるように、前記すり玉どうしが離間して配置されることを特徴とする洗体用具。
【考案の詳細な説明】
【技術分野】
【０００１】
本考案は、バスルーム等で体を洗う際に用いられる洗体用具に係る。
【背景技術】
【０００２】
バスルーム等でお湯等を使用して体を洗う際にボディタオルが用いられる。また、特許文献１においては、ボディタオルの中央にポケットを設けて、その中にスポンジを入れたスポンジ付きボディタオルが開示されている。このスポンジ付きボディタオルはタオルにスポンジを入れることで洗体の際の抵抗を増加させてマッサージ効果が増すことが記載されている。
【０００３】
特許文献２は、ボディタオルの両端及び中央にゲルマボールを縫い込んで取付けたボディタオルが開示されている。このゲルマボールを縫い込んだボディタオルは、ゲルマボールにより体を刺激することができることが記載されている。
【先行技術文献】
【特許文献】
【０００４】
【特許文献１】実用新案登録第３０８１００５号公報
【特許文献２】特開２００９−５０６７４号公報
【考案の概要】
【考案が解決しようとする課題】
【０００５】
しかしながら、従来の通常のボディタオルでは、タオルの両端を両手で持って背中を洗う時に、しばしばボディタオルがねじれてしまうため快適さが損なわれる。また、ボディタオルは引き延ばすと表面は平らになって、体の凹凸に追従できない。特許文献１のスポンジ付きボディタオルにおいては、スポンジは吸水性に富むため洗体の際にスポンジが水分を吸収して重くなってしまい、快適さが失われてしまう。上記特許文献２のゲルマボール付きボディタオルは、ゲルマニウムはタオル生地よりも比重が高いため、背中を洗おうとタオルを持った場合に、重さを感じてしまい快適さが損なわれる。また、ゲルマボールが球体のため背中を洗う際にタオルがねじれやすいという問題がある。
【０００６】
本考案の洗体用具は、上記問題点に鑑み、背中を洗う際にねじれが起こりにくく、タオル生地からの力が集中して心地よい感触を与える洗体用具を提供することを目的とする。
【課題を解決するための手段】
【０００７】
（１）上述の課題を解決するため、本考案に係る洗体用具は、
弾性を有する樹脂からなり、洗体の際に体に対向する面を正面として、前記正面がその前記正面視における外周から前記正面の中央に行くにしたがって正面方向へ突出する凸状に形成されるとともに、前記正面と反対側の背面が、前記背面視における前記外周から前記背面の中央に行くにしたがって前記背面方向へ突出する凸状に形成される、複数のすり玉と、
円筒状又は複数の生地を重ねた状態で前記複数の前記すり玉を内包するタオル生地とを備え、
前記複数の前記すり玉は前記タオル生地内において、前記タオル生地の長手方向に並べて配置され、
前記すり玉どうしの間に、タオル生地が第一の紐状体により縛られた中央縛り部が設けられ、
並べられた前記複数の前記すり玉の列の両端近傍において、前記タオル生地が第二の紐状体により縛られた端部側縛り部が設けられることを特徴とする。
【０００８】
この考案によれば、洗体用具のタオル生地に内包されるすり玉の正面及び背面を凸状としたため、この洗体用具の長手方向の両端部をそれぞれ左右の手で握って背中を洗う際に、すり玉がタオル生地からの力を受けて背中に押し当てられるとともに、背中の凹凸に追従するので、タオル生地やすり玉が、ねじれにくくなる。また、正面又は背面の凸状の部分が背中に押し当てられることで、洗体において使用者に心地よい感触を与えることが可能となる。
【０００９】
（２）本考案は、上述した洗体用具において、
それぞれの前記すり玉に、前記洗体用具の長手方向にゴム紐を挿通するためのゴム紐挿通孔を設け、それぞれの前記すり玉に共通のゴム紐が挿通され数珠つなぎ状にそれぞれの前記すり玉を連結させ、前記洗体用具の長手方向において、その連結した前記複数の前記すり玉の列の両端近傍に前記ゴム紐を留めるための紐留め部が設けられることが好ましい。
【００１０】
この考案によれば、タオル長手方向にゴム紐を挿通するためのゴム紐挿通孔を設け、各すり玉に共通のゴム紐が挿通され数珠つなぎ状に各すり玉を連結させたため、すり玉が長手方向の軸に固定しようとする力が働く。このため、洗体用具の長手方向において、更にすり玉のねじれが起こりにくくなる。また、すり玉を二つ重ねるように折り曲げる際に、ゴム紐の張力が折り曲げる際の抵抗（手応え）となり、使用者に曲げているという感触を与えて、心地よさを感じさせることが可能となる。
【００１１】
（３）本考案は、上述した洗体用具において、
前記複数の前記すり玉を収納するための内袋が設けられ、前記内袋は、前記複数のすり玉どうしの間を縛る第三の紐状体によって縛られ、前記中央縛り部において、タオル生地及び前記内袋の前記第三の紐状体で縛られた部分が、前記第一の紐状体によって縛られることが好ましい。
【００１２】
この考案によれば、洗体用具において、複数のすり玉を収納するための内袋を設け、中央縛り部において、タオル生地と一緒に内袋の第三の紐状体で縛られた部分を、第二の紐状体によって縛られるようにしたため、中央縛り部によってタオル生地内部に内袋が固定されるとともに、すり玉が内袋によっても動きが制約される。このため、更に強くすり玉のねじれを抑制することができる。
【００１３】
（４）本考案は、上述した洗体用具において、
前記すり玉は、独立気泡型の樹脂フォームからなることを特徴とする。
【００１４】
この考案によれば、洗体用具において、すり玉は独立気泡型の樹脂フォームのからなることとしたため、洗体中にすり玉の気泡に水が取り込まれてすり玉が重くなってしまうことがない。このため、洗体中にすり玉の重さが変わらないため、快適に洗体を行うことが可能となる。
【００１５】
（５）本考案は、上述した洗体用具において、
前記すり玉はEVA樹脂フォームからなることが好ましい。
【００１６】
この考案によれば、洗体用具において、すり玉はＥＶＡ樹脂フォームからなることとしたため、適度な弾性に調整することができるとともに、洗体中に水を含んで重くなって洗体に支障がでることがない。
【００１７】
（６）本考案は、上述した洗体用具において、
前記タオル生地に内包される前記すり玉の数は2個であり、前記すり玉どうしの間の位置で前記タオル生地を折り曲げると、前記すり玉どうしが重ね合わせられることができるように、前記すり玉どうしが離間して配置されることが好ましい。
【００１８】
この考案によれば、洗体用具において、すり玉どうしが重ね合わせられることができるように、タオル生地の長手方向に沿ってすり玉どうしを離間して配置したため、すり玉を二つ重ねてまとめて片方の手のひらで掴んで、背中以外の体の部位を洗体することが可能となる。したがって、背中以外の体の部位を洗う際にも持ちやすく、まとまりがよい。このため、背中と、背中以外の体の部位を一つの洗体用具で洗体が可能であり、部位によって洗体用具を使い分けることなく洗体が可能である。
【考案の効果】
【００１９】
上述のとおり、本考案によれば、洗体用具のタオル生地に内包されるすり玉の正面及び背面を凸状としたため、この洗体用具の長手方向の両端部をそれぞれ左右の手で握って背中を洗う際に、すり玉がタオル生地からの力を受けて背中に押し当てられるとともに、背中の凹凸に追従するので、タオル生地やすり玉が、ねじれにくくなる。また、正面又は背面の凸状の部分が背中に押し当てられることで、洗体において使用者に心地よい感触を与えることが可能となる。
【図面の簡単な説明】
【００２０】
【図１】本考案の洗体用具の実施の一形態を示す全体図である。
【図２】（Ａ）は本実施の形態の洗体用具における二つのすり玉にゴム紐が挿通されて結合されていることを示す図である。（Ｂ）はゴム留め部の部分拡大図である。
【図３】本実施の形態の洗体用具におけるすり玉の形状を示す図である。
【図４】（Ａ）別のすり玉の例を示した図である。（Ｂ）は更に別のすり玉の例を示した図である。（Ｃ）は更に別のすり玉の例を示した図である。
【図５】背中を洗っている状態の洗体用具１の長手方向に垂直な面による断面を略式的に示す図である。
【図６】本実施の形態の洗体用具を折り曲げて二つのすり玉３を重ねた状態で手で持った図である。
【図７】本考案の洗体用具の別の実施の一形態を示す図である。
【図８】（Ａ）は縛られる前の内袋を示す図である。（Ｂ）は中央を縛った状態の内袋示す図である。
【考案を実施するための形態】
【００２１】
＜第一実施形態＞
図１は本考案に係る洗体用具の一実施形態の全体図である。図２（Ａ）は二つのすり玉にゴム紐が挿通されて結合されていることを示す図である。図２（Ｂ）はゴム留め部の部分拡大図である。図１において、この洗体用具１は、円筒状に構成されたタオル生地２と、そのタオル生地の内部に設けられる二つのすり玉３と、中央縛り部６と、端部側縛り部7を備える。
【００２２】
タオル生地２は、一枚の四角の布の四辺のうち長辺を互いに縫い合わせて筒状に形成したものである。図２（Ａ）に示す通り、二つのすり玉３には、洗体用具１の長手方向にゴム紐８を挿通するためのゴム紐挿通孔３Ｄが設けられ、各々のすり玉３のゴム紐挿通孔３Ｄに共通のゴム紐８が挿通される。これらすり玉３は数珠つなぎ状に列をなして結合される。また、ゴム紐８は、数珠つなぎ状に結合された二つのすり玉３の列の両端近傍には、ゴム紐８を留めて抜け留するための紐留め部２０が設けられる。紐留め部２０は、二つのすり玉３の列の両端近傍に設けられるが、抜け留めができればよいので、そのすり玉３の列の両端よりも更に洗体用具１の長手方向における端部側（図２（Ａ）紙面上における左右）に間隔を空けて設けてもよい。
【００２３】
図２（Ｂ）に示すように、紐留め部２０は、留め具としてのビーズ１１と、ゴム紐を結んで結び目８Ａとを備える。ビーズ１１は、その内部に洗体用具１の端部側の径が大きく内側の径が小さいテーパー状の孔１１Ａを有する。その孔１１Ａの中には、ゴム紐８の径よりも太く形成されたゴム紐８の結び目８Ａが設けられ、この結び目８Ａがテーパー状の孔１１Ａに嵌ることによりゴム紐８が抜けずに留まる。
【００２４】
紐留め部２０は、ゴム紐８が抜け留めされる構成であればよく、クリップで留めてもよいし、ピンで固定してもよいし、ビーズ１１にゴム紐８を巻き付けてもよい。しかし、本実施の形態のようにビーズ１１と、結び目８Ａによって構成し、結び目８Ａをテーパー状の孔１１Ａに設けることで、結び目８Ａの一部がビーズ１１内に隠れるため、結び目８Ａによる細かい凹凸が洗体中に身体に当たって、不快な感触を与えることが防止されるため好ましい。
【００２５】
中央縛り部６は、すり玉３どうしの間において、第一の紐状体としての第一のゴムバンド４によって、タオル生地２をゴム紐８ごと縛る。この中央縛り部６により、すり玉３が中央側に行きすぎないように移動範囲が規制される。
【００２６】
図１のとおり、端部側縛り部７は、並んでいる２つのすり玉３の列の両端近傍において、第二の紐状体としての第二のゴムバンド５によってタオル生地２を縛ることによって形成される。この端部側縛り部７によって、すり玉３がタオル生地２の端部側に移動することが規制される。
【００２７】
このように中央縛り部６と端部側縛り部７が設けられることにより、すり玉３がの移動範囲が規制される。また、中央縛り部６と端部側縛り部７の間のタオル生地２との摩擦抵抗によって、すり玉３どうしの相対位置がねじれにくくなる。本実施形態においては、単体のすり玉３の両端にちょうど接する位置に中央縛り部６と端部側縛り部７を設けずに、単体のすり玉３の端部と多少距離を空けて中央縛り部６と端部側縛り部７を設けている。このように多少距離を空けることにより、すり玉３の位置規制範囲に余裕を持たせている。なお、すり玉３どうしは後述の距離Ｍ（図１参照）だけ離間するように配置させる。
【００２８】
タオル生地２の素材は、綿を採用することができるが、一般的にボディタオルに用いられる素材であればよく、化学繊維でもよい。
【００２９】
図３は、すり玉３の形状を示す図である。すり玉３は。洗体の際に体に対向する面を正面３Ａと、その反対側の裏面３Ｃと、外周３Ｂとを備える。また、すり玉３は正面視において、略円形をなすとともに、その正面３Ａは、外周３Ｂ側から正面３Ａの中央に行くに従って、裏面から正面の方向（厚みが増す方向）へ突出する凸状面となっている。背面視においても同様に、裏面３Ｃの外周３Ｂから裏面３Ｃの中央に行くにしたがって正面から裏面の方向（厚みが増す方向）へ突出する凸状面をなす。
【００３０】
図５は背中を洗っている状態の洗体用具１の長手方向に垂直な面による断面を略式的に示す図である。図５において、洗体用具１のすり玉３が人の背中の表面１０に当接している。人の背中の表面１０は、肩甲骨の盛り上がり１０Ａと、肩甲骨よりも背骨側の表面１０Ｂと、肩甲骨１０Ａと肩甲骨より背骨側表面１０Ｂの間の凹部１０Ｃがある。
【００３１】
本考案の洗体用具１で背中を洗う場合、タオル生地の端部２Ａ及び２Ｂ（図１参照）付近を左右の手で握って、すり玉３を背中に当たるように、擦り洗いをする。
【００３２】
このとき、背中を洗う場合においては、手によって張られたボディタオルの力が、すり玉３へ矢印Ｌ１，Ｌ２、Ｌ３の方向に作用し、背中の表面の抗力Ｎと釣り合うため、これらの力の合力によって、体の凹凸や摩擦抵抗によって横ずれしようとする力Ｍ１，Ｍ２や、ねじれようとする力Ｏ１，Ｏ２にも拮抗する。このように、正面３Ａ及び裏面３Ｃが凸状をなすことで、力が拮抗し、擦り洗いの際にすり玉３の位置が図５の紙面上の横に逸れたり、長手方向を軸としてねじれることを抑制することができる。このため、使用者は二個の洗体用具１のすり玉３がねじれないように気を使うことなく背中を洗うことができる。
【００３３】
また、すり玉３の正面３Ａが正面に向けて凸状に形成されているので、背中を洗う際には正面３Ａは背中の凹凸に追従する。また、正面３Ａの突出した部分のみが背中に当接することで、タオルのように平面的に接するよりも、力を正面３Ａの一部に集中させて背中の表面１０を押圧することができる。これにより、背中を擦り洗いする際に使用者に心地よい感触を与えることが可能になる。
【００３４】
図６は洗体用具１を折り曲げて二つのすり玉３を重ねた状態の図である。図６のとおり、洗体用具１をすり玉３どうしの間で折り曲げて、すり玉３を上下に重ねることにより、これらをまとめて片方の手のひら２１に収めることが可能である。このように、すり玉３を片方の手のひら２１で持った状態で、腹や脚などの背中以外の部分も洗うことができる。このため、洗体用具１により全身を洗うことができるため、この洗体用具１のみ用いてで全身を洗うことが可能になる。すなわち、背中を擦り洗いすることに好適でありながらも、背中以外を洗う際でも別の洗体用具を用意する必要がない。
【００３５】
図６のように洗体用具１を折り曲げたとき、すり玉３の互いの凸状の正面３Ａどうし（又は裏面３Ｃどうし）がタオル生地２を介して当たるため、すり玉３の中央縛り部６側の端部どうし（ゴム紐８の中間部８Ｂ付近）には図６のとおりの距離Ｌが必要である。図１のように洗体用具１を折り曲げていない状態でも、図６の折り曲げ状態を確保できるように、すり玉３どうしは距離Ｍだけ離間して配置する。また、折り曲げていない状態におけるすり玉３どうし（すり玉３の中央縛り部６側の端部どうし）の距離Ｍは、図６の折り曲げ状態におけるすり玉３の中央縛り部６側の端部どうしの距離Ｌより短く設定しておくことが好ましい。
【００３６】
そのように、洗体用具１を折り曲げていない状態におけるすり玉３の中央縛り部６側の端部どうしの距離Ｍを、折り曲げる状態の距離Ｌよりも短く設定しておけば、すり玉３を折り曲げる際には、ゴム紐８の中間部８Ｂ付近において距離Ｌと距離Ｍの差だけ伸びるため、ゴム紐８の張力が発生する。この張力が洗体用具１をすり玉３どうしの間で折り曲げる際の抵抗力となり、その抵抗力によって、使用者に曲げているという実感を与え、心地よさを感じさせることが可能となる。このように洗体用具１を折り曲げるように構成する場合には、すり玉３は、正面視においてその幅が大きい部分が４ｃｍ以上１７ｃｍ以下とであることが好ましい。すり玉が１７ｃｍを超えると手のひらに収めにくくなり、好ましくなく、４ｃｍより小さくなると小さすぎて持ちにくいためである。
【００３７】
すり玉３の素材は、弾力を持った樹脂であれば、洗体時に身体の表面に当たったときに肌触りがよいためである。更に、すり玉３を樹脂発泡材で構成する場合には、樹脂内部の発泡によって得られる気泡が外部と通じていない独立気泡である樹脂フォーム（独立気泡型の樹脂フォーム）が、洗体時に水を吸収して重くならず、発泡材のため比重が軽いため持つ際に手に負担がかからないため好ましい。特にＥＶＡ（Ethylene Vinyl Acetate：エチレンと酢酸ビニル共重合体させた合成樹脂）樹脂のフォームが最も好ましい。ＥＶＡ樹脂フォームは程よい弾力を持たせることができるとともに、水を吸収しにくい樹脂フォームであるためである。洗体において水を吸って重くならないようスポンジは洗体時に吸水して重くなってしまうので、不向きである。なお、本明細書においてスポンジとは家庭において食器洗い等に用いられる吸水性に富んだ連続気泡型の樹脂発泡素材をいう。
【００３８】
＜第二実施形態＞
図７は、本考案の別の実施形態の洗体用具である。本実施形態の説明において、上述の第一実施形態と同じ機能を持った要素については、同じ符号を付し、説明を省略する。本実施の形態において、洗体用具３０は、図７のとおり、タオル生地２の内部において、すり玉３を内包する内袋２１を備える。
【００３９】
図８（Ａ）は、本実施形態における中央を締められていない状態の内袋２１を示す図であり、図８（Ｂ）は中央を縛られている状態の内袋２１を示す図である。図８（Ａ）のとおり、内袋２１は、図８（Ａ）上の下側の洗体用具３０の長手方向における中央に開口部２１Ａを備える。その開口部２１Ａを通じてすり玉３を内袋２１を入れるとともに、内袋２１の内部の右と左に分けて配置する。その次に図８（Ｂ）のとおり、内袋２１をすり玉３を内包した状態で、中央部を第三の紐状体としてのゴムバンド２２によって縛ることによって、すり玉３どうしの位置関係を規制する。また、内袋２１の中央を縛るゴムバンド２２によって、内袋２１の下側中央に位置する開口部２１Ａは閉じるため、すり玉３が内袋２１から出ることがないように規制される。内袋２１はナイロンメッシュにより構成することができる。
【００４０】
図７のとおり、洗体用具３０は、その長手方向における中央部の中央縛り部６において、すり玉３を内包した状態の内袋２１をタオル生地２の内部に入れた状態で、第一の紐状体であるゴムバンド４で、タオル生地２の中央及び内袋２１のゴムバンド２２の位置を、一緒に縛ることによって、タオル生地２に内袋２１を固定する。また、前述の第一実施形態と同様に、並んでいる二つのすり玉３の両端のよりも外側（端部２Ａ、２Ｂへ向かう方向）において、タオル生地２を第二の紐状体としてのゴムバンド５により縛ることで端部側縛り部７が設けられる。
【００４１】
この内袋２１を設けたため、内袋２１がすり玉３どうしの位置関係を規制している。すなわち、内袋２１が抵抗となって、外部から力を受けてもすり玉３がねじれにくくなる。特に、第一実施形態のように、ゴム紐ですり玉どうしを接続する場合に比べて、すり玉３どうしの相対位置が洗体用具３０の長手方向を回転軸としてねじれることを抑制することができる。
【００４２】
図４（Ａ）、（Ｂ）及び（Ｃ）は、別のすり玉の形状の例を示す。図４（Ａ）のとおり、すり玉１３は、正面１３Ａ及び裏面１３Ｃと外周１３Ｂを備え、正面視において、楕円形をなし、正面１３Ａ及び裏面１３Ｃにおいて、外周１３Ｂから中央部にいくにしたがって正面方向及び背面方向に厚みが増すように凸状の面をなしている。このようにすり玉の形状は、すり玉１３のように正面１３Ａの側から視て楕円形をなしていてもよい。
【００４３】
図４（Ｂ）のとおり、すり玉１４は、正面１４Ａ及び裏面１４Ｂと外周１４Ｂを備え、正面視において、円形をなす。正面１４Ａ及び裏面１４Ｂにおいて、外周１４Ｂから角１４Ｄまでが中央部にいくにしたがって厚みが増し、この角１４Ｄから中央まではフラットな面が形成されている。このようにすり玉１４は、正面１４Ａ又は裏面１４Ｃにおいて、中央部がフラットな形状をなしていてもよい。すなわち、すり玉１４は、その正面側及び裏面側において全体的には外周部から厚みを増すように凸状をなしているので、前述のすり玉３と同様に背中に当たる際に表面１４Ａのフラットな部分に力を集中させて背中を押圧しながら擦り洗いを行うことができる。
【００４４】
図４（Ｃ）のとおり、すり玉１５は、正面１５Ａ及び裏面１５Ｃと外周１５Ｂを備え、正面視において、略長方形をなし、正面１５Ａ及び裏面１５Ｂにおいて、外周１５Ｂから中央部に行くにしたがって厚みが増すように凸状の面をなしている。このようにすり玉の形状は、すり玉１５のように正面１５Ａの側から視て略長方形などの多角形をなしていてもよい。
【００４５】
これら実施の形態においては、第一の紐状体、第二の紐状体、及び第３の紐状体をゴムバンド４、５及び２２としたが、ゴムではなく、伸縮性を有しない紐を結ぶ等して縛ってもよいし、糸で縫うことでタオル生地２又は内袋２１を緊縛してもよい。
【００４６】
また、本実施の形態においては、一枚のタオル生地２の長辺どうしを縫い合わせて筒状に構成したが、二枚の生地を重ねて縫い合わせてその二枚の生地の中にすり玉３等を内包するように構成してもよい。
【００４７】
また、上述の実施の形態において、すり玉３が二つの例を説明したが、すり玉３は３つ以上としてもよい。なお、その場合には、必ずしも折り曲げる必要はないため、図１の距離Ｍ及び図７の距離Ｎのようにすり玉３どうしを離間させなくともよい。
【００４８】
また、本考案は、上記実施の形態に限らず、本考案の要旨を逸脱しない範囲において、種々の変更、付加が可能である。
【符号の説明】
【００４９】
１…洗体用具、２…タオル生地、２Ａ，２Ｂ…タオル生地の端部、３…すり玉、３Ａ…すり玉の正面、３Ｂ…すり玉の外周、３Ｃ…すり玉の裏面、３Ｄ…ゴム紐挿通孔、４…ゴムバンド（第一の紐状体）、５…ゴムバンド（第二の紐状体）、６…中央縛り部、７…端部側縛り部、８…ゴム紐、８Ａ…結び目、１０…背中の表面、１１…ビーズ、１１Ａ…孔、２０…紐留め部、２１…内袋、２２…ゴムバンド（第３の紐状体）。
【図１】
0003211715.tif 000003
【図２】
0003211715.tif 000004
【図３】
0003211715.tif 000005
【図４】
0003211715.tif 000006
【図５】
0003211715.tif 000007
【図６】
0003211715.tif 000008
【図７】
0003211715.tif 000009
【図８】
0003211715.tif 000010
【手続補正書】
【提出日】平成29年5月31日(2017.5.31)
【手続補正１】
【補正対象書類名】実用新案登録請求の範囲
【補正対象項目名】請求項５
【補正方法】変更
【補正の内容】
【請求項５】
請求項１から請求項４までのいずれか1項に記載の洗体用具において、
前記すり玉はEVA樹脂フォームからなることを特徴とする洗体用具。